(57)【要約】【課題】処分場から大量の浸出水が発生した場合にも対応することができる浸出水処理システムを提供する。【解決手段】浸出水処理システムは、盛土材を埋め立てる埋立地である処分場本体１と、処分場本体１において生じた浸出水を一時的に貯留する調整池２と、調整池２に貯留された浸出水を処理する浸出水処理部３とを備える。浸出水処理部３は、第１浸出水処理装置３１ａ〜３７ａおよび第２浸出水処理装置３１ｂ〜３７ｂの２つの処理装置で構成される。【選択図】図１
2014200764.tif 000002
【特許請求の範囲】
【請求項１】
無機廃棄物を含む盛土材を埋め立てる最終処分場における浸出水を処理する浸出水処理システムであって、
前記盛土材を埋め立てる埋立地であって、底壁および垂直壁を有し上部が解放されたオープン型の処分場本体と、
前記処分場本体において生じた浸出水を一時的に貯留する調整池と、
前記調整池に貯留された浸出水を処理する浸出水処理部と
を備え、
前記処分場本体は、前記底壁および前記垂直壁の内面に遮水処理構造を有し、
前記調整池は、前記処分場本体において生じた浸出水のみが流入するクローズ型の調整池であって、
前記浸出水処理部は、前記調整池に貯留された浸出水を並列に処理する第１浸出水処理装置および第２浸出水処理装置を有することを特徴とする浸出水処理システム。
【請求項２】
請求項１記載の浸出水処理システムにおいて、
前記処分場本体は、前記盛土材が圧密成形体シールド構造体として埋め立てられ、
前記圧密成形体シールド構造体は、
壁面により区画された前記盛土材を埋め立てる単位埋立空間を水平方向において仕切って第１空間および第２空間を確保した上で、該第１空間に有害物質濃度が所定値を超えるＢ種無機廃棄物を含むＢ種盛土材を投入して締め固めることにより得られた第１圧密成形部と、
前記第１圧密成形部の上に有害物質濃度が所定値以下のＡ種無機廃棄物を含むＡ種盛土材を投入して締め固めることにより得られた第２圧密成形部と、
前記第１圧密成形部および前記第２圧密成形部が形成された状態で、前記第１空間および前記第２空間の仕切りを取払って、前記第２空間に前記Ａ種盛土材を投入して締め固めることにより得られた第３圧密成形部と、
前記第２圧密成形部および前記第３圧密成形部の上部に形成された遮水構造の上部シールド構造と、
前記壁面を取払うことにより露出する前記第３圧密成形部の側面に形成された遮水構造の側面シールド構造と
を備えることを特徴とする浸出水処理システム。
【発明の詳細な説明】
【技術分野】
【０００１】
本発明は、無機廃棄物を含む盛土材を埋め立てる最終処分場における浸出水を処理する浸出水処理システムに関する。
【背景技術】
【０００２】
一般に、屋根のないオープン型の最終処分場においては、降雨によって発生する浸出水の処理が問題となる。特に、廃棄物と接触した雨水による浸出水がそのまま周囲の環境に漏洩することがないように浸出水を処理する必要がある。
【０００３】
そこで、従来、廃棄物からの浸出水の処理に関する技術として、廃棄物投棄地を掘削した投棄穴の表面に遮水性シートを設け、浸出水が周囲の地盤に漏洩するのを防止することが知られている（例えば、特許文献１参照）。
【先行技術文献】
【特許文献】
【０００４】
【特許文献１】特開平６−１２６２６５号公報
【発明の概要】
【発明が解決しようとする課題】
【０００５】
しかしながら、上述の特許文献１の技術によれば、投棄穴から浸出水を流出させないことを前提としており、気象条件によって豪雨等が発生した場合には、大量の浸出水を処理することが困難となるという問題があった。
【０００６】
かかる事情に鑑みて、本発明は、処分場から大量の浸出水が発生した場合にも対応することができる浸出水処理システムを提供することを目的とする。
【課題を解決するための手段】
【０００７】
第１発明の浸出水処理システムは、無機廃棄物を含む盛土材を埋め立てる最終処分場における浸出水を処理する浸出水処理システムであって、
前記盛土材を埋め立てる埋立地であって、底壁および垂直壁を有し上部が解放されたオープン型の処分場本体と、
前記処分場本体において生じた浸出水を一時的に貯留する調整池と、
前記調整池に貯留された浸出水を処理する浸出水処理部と
を備え、
前記処分場本体は、前記底壁および前記垂直壁の内面に遮水処理構造を有し、
前記調整池は、前記処分場本体において生じた浸出水のみが流入するクローズ型の調整池であって、
前記浸出水処理部は、前記調整池に貯留された浸出水を並列に処理する第１浸出水処理装置および第２浸出水処理装置を有することを特徴とする。
【０００８】
第１発明の浸出水処理システムによれば、処分場本体内に降った雨水は、浸出水として調整池に流入する。このとき、調整池がクローズ型となっているため、浸出水以外が流入することがないため、オープン型の調整池に比して浸出水の処理量を増やすことができる。
【０００９】
また、気象条件により豪雨等があり、仮に、調整池が満水になった場合でも、処分場本体は、その内面に遮水処理構造を有しているため、第２の調整池として機能する。そのため、処分場から大量の浸出水が発生した場合にも対応することができる。
【００１０】
さらに、調整池に貯留された浸出水、さらに調整池が満水の場合には調整池および処分場本体の浸出水は、浸出水処理部としての第１浸出水処理装置および第２浸出水処理装置の２つの処理装置により処理される。そのため、処分場から大量の浸出水が発生した場合にも対応することができると共に、浸出水の発生量が少ない場合には、第１浸出水処理装置および第２浸出水処理装置のいずれか一方のみを用いて、他方のメンテナンス等を行うことも可能となる。
【００１１】
このように、第１発明の浸出水処理システムによれば、処分場から大量の浸出水が発生した場合にも対応することができる。
【００１２】
第２発明の浸出水処理システムは、第１発明において、
前記処分場本体は、前記盛土材が圧密成形体シールド構造体として埋め立てられ、
前記圧密成形体シールド構造体は、
壁面により区画された前記盛土材を埋め立てる単位埋立空間を水平方向において仕切って第１空間および第２空間を確保した上で、該第１空間に有害物質濃度が所定値を超えるＢ種無機廃棄物を含むＢ種盛土材を投入して締め固めることにより得られた第１圧密成形部と、
前記第１圧密成形部の上に有害物質濃度が所定値以下のＡ種無機廃棄物を含むＡ種盛土材を投入して締め固めることにより得られた第２圧密成形部と、
前記第１圧密成形部および前記第２圧密成形部が形成された状態で、前記第１空間および前記第２空間の仕切りを取払って、前記第２空間に前記Ａ種盛土材を投入して締め固めることにより得られた第３圧密成形部と、
前記第２圧密成形部および前記第３圧密成形部の上部に形成された遮水構造の上部シールド構造と、
前記壁面を取払うことにより露出する前記第３圧密成形部の側面に形成された遮水構造の側面シールド構造と
を備えることを特徴とする。
【００１３】
第２発明の浸出水処理システムによれば、処分場本体において無機廃棄物を含む盛土材を圧密成形体として埋め立てる共に、埋め立て時に露出する上面および側面を遮水構造の上部シールド構造および側面シールド構造とする。これにより、処分場本体に降った雨水を、圧密成形体の表面を流れるようにすることができる。
【００１４】
そのため、雨水が無機廃棄物や無機廃棄物を含む盛土材と接触することを回避することができ、浸出水の処理を容易にして、浸出水処理部の処理量を増加させることができる。
【００１５】
このように、第２発明の浸出水処理システムによれば、処分場から大量の浸出水が発生した場合にもこれを処理することができる。
【図面の簡単な説明】
【００１６】
【図１】本発明の一実施形態の浸出水処理システムの全体構成図。
【図２】図１の処分場本体の構成を示す断面図。
【図３】図１の浸出水処理部の構成を示す説明図。
【図４】最終処分場における埋め立て区画を示す説明図。
【図５】本実施形態の圧密成形体シールド構造体の製造方法の工程を示すフローチャート。
【図６】図５の圧密成形体シールド構造体の製造方法を示す説明図。
【図７】図５のフローチャートに示す各工程の説明図。
【図８】図７に続く、図５のフローチャートに示す各工程の説明図。
【発明を実施するための形態】
【００１７】
図１に示すように、本発明の一実施形態としての浸出水処理システムについて説明する。浸出水処理システムは、無機廃棄物を含む盛土材を埋め立てる最終処分場における浸出水を処理する。
【００１８】
浸出水処理システムは、盛土材を埋め立てる埋立地である処分場本体１と、処分場本体１において生じた浸出水を一時的に貯留する調整池２と、調整池２に貯留された浸出水を処理する浸出水処理部３と、浸出水処理部３で排出された汚泥を処理する汚泥処理部４とを備える。
【００１９】
まず、処分場本体１は、調整池２との間に設けられたポンプ室１０を経てポンプ室１０内に一時的に貯留された浸出水がポンプＰを介して調整池２に導入される。
【００２０】
また、処分場本体１は、図２に示すように、垂直壁１１と底壁１２とを有し上部が解放されたオープン型の処分場となっている。底壁１２上には、有孔の集水管１３が設けられており、集水管１３は、ポンプ室１０に接続されている。
【００２１】
処分場本体１内の浸出水は、集水管１３を経てポンプ室１０に導入されるほか、後述するように、無機廃棄物を含む盛土材を埋め立てた圧密成形体の表面を流れた雨水が集水桝１０ａから導入管１０ｂを経てポンプ室１０に導入される。
【００２２】
垂直壁１１および底壁１２の内面には遮水処理構造が形成されている。
【００２３】
具体的には、垂直壁１１の内面は、遮水処理構造として、遮水シート１１ａおよび遮水シート１１ａの表面を被って保護する保護マット１１ｂを複数積層させた構造となっている。さらに、その表面には、ウレタンおよびウレタンの表面に不燃性の吹付材を吹き付けた被覆構造体１１ｃが形成されている。
【００２４】
底壁１２の内面には、同じく遮水処理構造として、遮水シート１２ａおよびその上下を被って保護する保護マット１２ｂを複数（本実施形態では２層）積層させた構造となっている。この遮水処理構造の上側および下側には、砕石１２Ｘが敷設されており、上側の砕石１２Ｘに前述の集水管１３が設けられている。
【００２５】
なお、かかる底壁に併設される遮水処理構造は、複数層形成されることが好ましい。本実施形態は、上述の最上層の遮水処理構造のほか、中間層および下層の遮水処理構造（中間層および下層の遮水シートは１枚で構成）を設けている。
【００２６】
調整池２は、処分場本体１において生じた浸出水のみが流入するクローズ型の調整池であって、本実施形態では、約２０００リットル収納可能な地下タンクとなっている。
【００２７】
浸出水処理部３は、第１浸出水処理装置３１ａ〜３７ａおよび第２浸出水処理装置３１ｂ〜３７ｂの２つの処理装置で構成される。
【００２８】
具体的に各処理装置３１ａ〜３７ａ，３１ｂ〜３７ｂは、図３に示すように、まず、調整池２からポンプＰにより原水調整槽３０に導入された浸出水が、それぞれポンプＰ，Ｐにより導入され、以下のように処理される。
【００２９】
まず、反応槽、混和槽および凝集槽からなる前処理槽３１ａ，３１ｂにより、浸出水を凝集処理させた上で、凝集物を沈殿させる凝集沈殿槽３２ａ，３２ｂに導入される。
【００３０】
凝集沈殿槽３２ａ，３２ｂにより、凝集物が沈殿除去された浸出水は、中和槽３３ａ，３３ｂに導入されて中和処理が施され、続けて、生物処理槽３４ａ，３４ｂで生物処理される。そして、生物処理後の浸出水が、ろ過原水槽３５ａ，３５ｂでろ過処理される。
【００３１】
次いで、ろ過原水槽３５ａ，３５ｂでろ過処理された浸出水は、ゼオライト吸着塔３６ａ，３６ｂおよび活性炭吸着塔３７ａ，３７ｂで放射性物質等が除去される。
【００３２】
このようにして、２つの系統３１ａ〜３７ａ，３１ｂ〜３７ｂで処理された浸出水は、処理水として、１つの処理槽３８に導入されて、その後放流される。なお、処理槽３８は、検水槽および消毒槽としての機能も兼ね備える。
【００３３】
次に、汚泥処理部４は、上述の浸出水の処理３１ａ〜３７ａ，３１ｂ〜３７ｂに伴って、排出される汚泥を１つの系統で処理するものであり、汚泥貯留槽４０と、汚泥凝集槽４１と、汚泥脱水機４２とを備える。
【００３４】
具体的には、凝集沈殿槽３２ａ，３２ｂおよび生物処理槽３４ａ，３４ｂにより除去される汚泥および活性汚泥が汚泥貯留槽４０に導入され、これらの汚泥が一度、汚泥凝集槽４１で攪拌処理された上で、汚泥脱水機４２に導入される。
【００３５】
汚泥脱水機４２で分離されたろ液は、調整池２へと戻され、残渣物は、後述するように、無機廃棄物と同様にして圧密成形体の材料として再利用される。
【００３６】
以上が、浸出水処理システムの全体構成である。
【００３７】
次に、図４〜８を参照して、処分場本体１に埋め立てられる圧密成形体およびそのシールドの構造について説明する。
【００３８】
まず、図４に示すように、最終処分場において、無機廃棄物を含む盛土材を埋め立てる区画（単位埋立空間）は、同一平面上で埋め立て方向Ｘ、そして埋め立て方向Ｘに直角な方向Ｙとして規定することができ、同一平面の埋め立てがすべて終了すると、高さ方向Ｚに次平面を規定して展開する。
【００３９】
本実施形態では、階層Ｚｎの区画（Ｘｎ，Ｙｎ）に、無機廃棄物を含む盛土材を埋め立てて得られる圧密成形体をシールドする場合について以下説明する。
【００４０】
図６に示すように、無機廃棄物固化シールド構造体は、まず、階層Ｚｎの区画（Ｘｎ，Ｙｎ）を、壁面により区画して埋め立て空間Ｗｎ（単位埋立空間）とした上で、埋め立て空間Ｗｎを水平方向において仕切って第１空間Ｉおよび第２空間ＩＩとする（図５／ＳＴＥＰ１・・前処理工程）。
【００４１】
具体的にかかる前処理工程では、図４に示すように、まず、既に埋め立てが終了した隣接区画（Ｘｎ，Ｙｎ−１）、（Ｘｎ−１，Ｙｎ）の壁面と、仮設堰堤１０００に鉄板１１００を立て掛けることにより形成される壁面により埋め立て空間Ｗｎを形成する。
【００４２】
なお、埋め立て方向Ｘ側については、仮設堰堤１０００および鉄板１１００が配置され、埋め立て方向に直角な方向Ｙ側については、仮設堰堤１０００´および鉄板１１００´が配置される。
【００４３】
次に、埋め立て空間Ｗｎの埋め立て方向Ｘ側に、内部仕切り用仮設堰堤２０００を設置し、これに仕切り鉄板２１００を立て掛けることにより、埋め立て空間Ｗｎを、内部仕切り用仮設堰堤２０００が設置された第２空間ＩＩと、残りの第１空間Ｉとする。
【００４４】
このようにして、埋め立て空間Ｗｎを、仕切り鉄板２１００により第１空間Ｉおよび第２空間ＩＩに仕切った様子を図７（ａ）に示す。
【００４５】
なお、内部仕切り用仮設堰堤２０００は、仕切り鉄板２１００との当接面が上方から下方に向って幅狭となるテーパー面となっている。
【００４６】
次に、ＳＴＥＰ１の前処理工程と前後して、予め、Ａ種盛土材、Ｂ種盛土材およびセメント混練物からなる被覆材をなどの材料を製造する（図５／ＳＴＥＰ５・・材料製造工程）。
【００４７】
かかる材料製造工程では、混練装置（図示省略）により、有害物質濃度の高い焼却灰を含まないＡ種無機廃棄物にセメントと水とを加えて練り上げてＡ種盛土材を製造すると共に、有害物質濃度の高い焼却灰を含むＢ種無機廃棄物にセメントと水とを加えて練り上げてＢ種盛土材を製造する。また、セメントに砂と水などを加えて練り上げたセメント混練物（例えば、モルタル）を被覆材として製造する。
【００４８】
なお、Ａ種無機廃棄物は、種々の有害物質濃度がそれぞれ所定の基準値以下である廃棄物であってもよく、（基準値に拘らず）Ｂ種無機廃棄物に対して単純に有害物質濃度が低い廃棄物であってもよい。
【００４９】
また、上記基準を適用して、汚泥処理部４の汚泥脱水機４２の残渣物もＡ種無機廃棄物またはＢ種無機廃棄物として、Ａ種盛土材またはＢ種盛土材の材料となる。
【００５０】
次に、第１空間ＩにＢ種盛土材を投入して締め固めることにより第１圧密成形部１００を形成する（図５／ＳＴＥＰ１０・・第１工程）。
【００５１】
かかる第１工程では、第１空間Ｉの上部に一定の上部空間Ｉａ，Ｉｂを残して、Ｂ種盛土材を投入し、投入したＢ種盛土材を打設して締め固めることにより、第１圧密成形部１００を形成する。
【００５２】
次に、第１圧密成形部１００の上の上部空間ＩａにＡ種盛土材を投入して締め固めることにより第２圧密成形部２００を形成する（図５／ＳＴＥＰ２０・・第２工程）。
【００５３】
かかる第２工程では、第１圧密成形部１００の上の上部空間Ｉａに、（上部空間Ｉｂを残して）Ａ種盛土材を投入し、投入したＡ種盛土材を打設して締め固めることにより、第２圧密成形部２００を形成する。
【００５４】
なお、第２工程において、Ａ種盛土材を投入する前に、第１圧密成形部１００の上に新材の砕石を敷均してこれを打設しておくことで、Ｂ種盛土材とＡ種盛土材とが直接接しないようにしておくことが好ましい。また、これにより、Ｂ種盛土材に放射性物質が含まれる場合に砕石による遮蔽効果も発揮される。
【００５５】
このようにして、第１空間Ｉに第１圧密成形部１００および第２圧密成形部２００を形成した様子を図７（ｂ）に示す。
【００５６】
次に、第１空間Ｉおよび第２空間ＩＩの仕切りを取払って、第２空間にＡ種盛土材を投入して締め固めることにより第３圧密成形部３００を形成する（図５／ＳＴＥＰ３０・・第３工程）。
【００５７】
かかる第３工程では、まず、内部仕切り用仮設堰堤２０００を吊るして除去し、次に仕切り鉄板２１００を撤去する。このとき、内部仕切り用仮設堰堤２０００は、仕切り鉄板２１００との当接面が上方から下方に向って幅狭となるテーパー面となっているため、第１圧密成形部１００および第２圧密成形部２００の圧密成形の際にこの面に掛かる高い圧力は、内部仕切り用仮設堰堤２０００を上向き押し上げるように作用する。そのため、内部仕切り用仮設堰堤２０００は、吊り上げて容易に撤去することができる。
【００５８】
次いで、第２空間ＩＩの上部に一定の上部空間Ｉｂを残して、Ａ種盛土材を投入し、投入したＡ種盛土材を打設して締め固めることにより、第３圧密成形部３００を形成する。このとき、第３圧密成形部３００は、第２圧密成形部２００とその表面が面一となるように、Ａ種盛土材が投入され打設される。
【００５９】
このようにして、第２空間ＩＩに第３圧密成形部３００を形成した様子を図７（ｃ）に示す。
【００６０】
なお、第１圧密成形部１００と第２圧密成形部２００と第３圧密成形部３００とが一体になった構造体が本発明の圧密成形体に相当する。
【００６１】
次に、第２圧密成形部２００および第３圧密成形部３００の上面をシールドする（図５／ＳＴＥＰ４０・・第４工程）。
【００６２】
かかる第４工程では、図８（ａ）に部分拡大図で示すように、第２圧密成形部２００および第３圧密成形部３００の上（上部空間１ｂ）に新材の砕石を敷均して締め固めることにより上部一次シールド層４１０を形成する。次いで、ＳＴＥＰ５で製造したセメント混練物からなる被覆材（例えば、モルタル）を敷均し、敷均された被覆材に砕石を敷均し締め固めることにより上部キャッピング層４２０を形成する。さらに、上部キャッピング層４２０の上に砕石を敷均し、上部二次シールド層４３０を形成する。。
【００６３】
次いで、上部二次シールド層４３０の上面全体を覆うように敷鉄板（図示省略）を敷き、該敷鉄板の上に重錘（図示省略）を配置して養生期間を経過させることにより上部一次シールド層４１０と上部キャッピング層４２０と上部二次シールド層４３０とを一体化させる。このとき、表面ｆが隣接する区画と面一となるようにする。そして、養生期間の経過後に、敷鉄板および重錘を撤去する。
【００６４】
このようにして得られた上部シールド構造４００を図８（ｂ）に部分拡大図で示す。
【００６５】
圧密成形体の上面に３層のシールド４１０〜４３０を一体化させた上部シールド構造４００が形成されることにより、圧密成形体の上面では完全に無機廃棄物と雨水との接触が回避される。
【００６６】
次に、埋め立て方向Ｘ側の壁面を取払うことにより露出する第３圧密成形部３００の側面をシールドする（図５／ＳＴＥＰ５０・・第５工程）。
【００６７】
かかる第５工程では、まず、埋め立て方向Ｘ側の仮設堰堤１０００を吊るして除去し、次に鉄板１１００を撤去する。
【００６８】
このとき、埋め立て方向Ｘに直角な方向Ｙの仮設堰堤１０００´および鉄板１１００´は、次の区画（Ｘｎ，Ｙｎ＋１）の埋め立て開始まで維持される。これにより、埋め立て方向Ｘに直角な方向Ｙの側面が露出すること防止することができる。なお、次の区画（Ｘｎ，Ｙｎ＋１）の埋め立ては、現在の区画（Ｘｎ，Ｙｎ）の埋め立て終了後、比較的短期間に開始されるとは言え、必要に応じて鉄板１１００´による区画境界部分については、ビニールシートなどで、次の埋め立て開始まで覆っておくことが好ましい。
【００６９】
次いで、露出する第３圧密成形部３００の側面に塗料（防水性の高い建築外装用塗料、例えば、エポキシ樹脂下塗り塗料）を塗布することにより側面一次シールド層５１０を形成する。さらに、側面一次シールド層５１０に塗料（防水性の高い建築外装用塗料、例えば、合成樹脂エマルション系厚付け仕上塗材）を厚塗することにより側面キャッピング層５２０を形成する。さらに、側面キャッピング層５２０に塗料（防水性の高い建築外装用塗料、例えば、エポキシ樹脂上塗り塗料）を塗布することにより側面二次シールド層５３０を形成する。
【００７０】
なお、露出する第３圧密成形部３００の側面に凹部がある場合には、予め凹部を被覆材で塗り固めた上で、側面一次シールド層５１０、側面キャッピング層５２０および側面二次シールド層５３０を形成することが好ましい。
【００７１】
圧密成形体の側面に３層のシールド５１０〜５３０による側面シールド構造５００が形成されることにより、圧密成形体の側面では完全に無機廃棄物と雨水との接触が回避される。
【００７２】
このように、圧密成形体の上面および側面に上部シールド構造４００および側面シールド構造５００を形成した圧密成形体シールド構造体によれば、圧密成形体の上面および側面をシールドして無機廃棄物と雨水との接触を回避することができる。圧密成形体に含まれる無機廃棄物の雨水への溶出を完全に防止することができると共に、処分場本体を第２の調整池として機能させることでき、処分場から大量の浸出水が発生した場合にも対応することができる。
【符号の説明】
【００７３】
１…処分場本体、２…調整池、３…浸出水処理部、４…汚泥処理部、１０…ポンプ室、１１…垂直壁、１２…底壁、１１ａ，１２ａ…遮水シート（遮水処理構造）、１１ｂ，１２ｂ…保護マット（遮水処理構造）、３１ａ〜３７ａ…第１浸出水処理装置、３１ｂ〜３７ｂ…第２浸出水処理装置、４２…汚泥脱水機、１００…第１圧密成形部（圧密成形体）、２００…第２圧密成形部（圧密成形体）、３００…第３圧密成形部（圧密成形体）、４００…上部シールド構造、４１０…上部一次シールド層、４２０…上部キャッピング層、４３０…上部二次シールド層、５００…側面シールド構造、５１０…側面一次シールド層、５２０…側面キャッピング層、５３０…側面二次シールド層、１０００…仮設堰堤、１１００…鉄板、２０００…内部仕切り用仮設堰堤、２１００…仕切り鉄板、Ｉ…第１空間、ＩＩ…第２空間。
【図１】
2014200764.tif 000003
【図２】
2014200764.tif 000004
【図３】
2014200764.tif 000005
【図４】
2014200764.tif 000006
【図５】
2014200764.tif 000007
【図６】
2014200764.tif 000008
【図７】
2014200764.tif 000009
【図８】
2014200764.tif 000010
【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
無機廃棄物を含む盛土材を埋め立てる最終処分場における浸出水を処理する浸出水処理システムであって、
前記盛土材を埋め立てる埋立地であって、底壁および垂直壁を有し上部が解放されたオープン型の処分場本体と、
前記処分場本体において生じた浸出水を一時的に貯留する調整池と、
前記調整池に貯留された浸出水を処理する浸出水処理部と
を備え、
前記処分場本体は、前記底壁および前記垂直壁の内面に遮水処理構造を有し、
前記調整池は、前記処分場本体において生じた浸出水のみが流入するクローズ型の調整池であって、
前記浸出水処理部は、前記調整池に貯留された浸出水を並列に処理する第１浸出水処理装置および第２浸出水処理装置を有し、
前記処分場本体は、前記盛土材が圧密成形体シールド構造体として埋め立てられ、
前記圧密成形体シールド構造体は、
壁面により区画された前記盛土材を埋め立てる単位埋立空間を水平方向において仕切って第１空間および第２空間を確保した上で、該第１空間に有害物質濃度が所定値を超えるＢ種無機廃棄物を含むＢ種盛土材を投入して締め固めることにより得られた第１圧密成形部と、
前記第１圧密成形部の上に有害物質濃度が所定値以下のＡ種無機廃棄物を含むＡ種盛土材を投入して締め固めることにより得られた第２圧密成形部と、
前記第１圧密成形部および前記第２圧密成形部が形成された状態で、前記第１空間および前記第２空間の仕切りを取払って、前記第２空間に前記Ａ種盛土材を投入して締め固めることにより得られた第３圧密成形部と、
前記第２圧密成形部および前記第３圧密成形部の上部に形成された遮水構造の上部シールド構造と、
前記壁面を取払うことにより露出する前記第３圧密成形部の側面に形成された遮水構造の側面シールド構造と
を備えることを特徴とする浸出水処理システム。
【手続補正２】
【補正対象書類名】明細書
【補正対象項目名】０００７
【補正方法】変更
【補正の内容】
【０００７】
第１発明の浸出水処理システムは、無機廃棄物を含む盛土材を埋め立てる最終処分場における浸出水を処理する浸出水処理システムであって、
前記盛土材を埋め立てる埋立地であって、底壁および垂直壁を有し上部が解放されたオープン型の処分場本体と、
前記処分場本体において生じた浸出水を一時的に貯留する調整池と、
前記調整池に貯留された浸出水を処理する浸出水処理部と
を備え、
前記処分場本体は、前記底壁および前記垂直壁の内面に遮水処理構造を有し、
前記調整池は、前記処分場本体において生じた浸出水のみが流入するクローズ型の調整池であって、
前記浸出水処理部は、前記調整池に貯留された浸出水を並列に処理する第１浸出水処理装置および第２浸出水処理装置を有し、
前記処分場本体は、前記盛土材が圧密成形体シールド構造体として埋め立てられ、
前記圧密成形体シールド構造体は、
壁面により区画された前記盛土材を埋め立てる単位埋立空間を水平方向において仕切って第１空間および第２空間を確保した上で、該第１空間に有害物質濃度が所定値を超えるＢ種無機廃棄物を含むＢ種盛土材を投入して締め固めることにより得られた第１圧密成形部と、
前記第１圧密成形部の上に有害物質濃度が所定値以下のＡ種無機廃棄物を含むＡ種盛土材を投入して締め固めることにより得られた第２圧密成形部と、
前記第１圧密成形部および前記第２圧密成形部が形成された状態で、前記第１空間および前記第２空間の仕切りを取払って、前記第２空間に前記Ａ種盛土材を投入して締め固めることにより得られた第３圧密成形部と、
前記第２圧密成形部および前記第３圧密成形部の上部に形成された遮水構造の上部シールド構造と、
前記壁面を取払うことにより露出する前記第３圧密成形部の側面に形成された遮水構造の側面シールド構造と
を備えることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、第１発明の浸出水処理システムによれば、処分場本体において無機廃棄物を含む盛土材を圧密成形体として埋め立てる共に、埋め立て時に露出する上面および側面を遮水構造の上部シールド構造および側面シールド構造とする。これにより、処分場本体に降った雨水を、圧密成形体の表面を流れるようにすることができる。
【手続補正５】
【補正対象書類名】明細書
【補正対象項目名】００１５
【補正方法】変更
【補正の内容】
【００１５】
このように、第１発明の浸出水処理システムによれば、処分場から大量の浸出水が発生した場合にもこれを処理することができる。